(57)【特許請求の範囲】
【請求項１】
中心部にシリンダ錠を回転操作可能に保持したシリンダケースの先端部の外周に巻回、貼着される柔軟で透明な導光シートと、
前記シリンダケースの先端部にブラケットを介して固定可能な光源と、
乱反射面が一面に形成され、光源による導光シート照射面からの反射光を乱反射面により前記照射面に反射させる反射部材とからなり、
光源からの照射光を外部に露出する導光シートの端面に導光してキー挿入位置を視認させるキー挿入位置照明装置。
【請求項２】
中心にシリンダ錠を回転操作可能に保持したステアリングロック装置の円柱状の先端部に柔軟で透明な導光シートを貼着するとともに、該導光シートの側方に光源を固定し、
光源からの照射光を前記先端部と先端部の外周を包絡するシェルカバーとの間の間隙に配置される導光シートの端面に導光して前記シリンダ錠のキー挿入位置を視認させるステアリングロック装置のキー挿入位置照明部の構造。
【請求項３】
前記シェルカバーの光源対向位置には、表面に乱反射面が形成された反射部材が固定される請求項２記載のステアリングロック装置のキー挿入位置照明部の構造。
【発明の詳細な説明】
【０００１】
【発明の属する技術分野】
本発明はキー挿入位置照明装置に関するものである。
【０００２】
【従来の技術】
キー挿入位置を利用者に知らせるためのキー挿入位置照明装置としては、実公平３−３８７２４号公報記載のものが知られている。この従来例はシリンダ錠を保持するシリンダケースの外周に配置され、端面が外部に露出する透明なリング体と、リング体を照射するための光源とを有し、光源からの照射光をリング体の端面まで導光することにより、キー挿入位置を視認させるように構成される。
【０００３】
【発明が解決しようとする課題】
しかし、上述した従来例において、導光体となるリング体は透明の硬質合成樹脂材により予め決められた形状に成型されるものであるから、例えば装着するケースの外周寸法等が異なると使用できなくなり、汎用性が低いという欠点がある。また、リング体は射出成型等により製造されるために、製造コストも高いという欠点がある。
【０００４】
本発明は以上の欠点を解消すべくなされたもので、汎用性が高く、かつ、低廉なキー挿入位置照明装置、およびステアリングロック装置のキー挿入位置照明部の構造の提供を目的とする。
【０００５】
【課題を解決するための手段】
本発明によれば上記目的は、
中心部にシリンダ錠１を回転操作可能に保持したシリンダケース２の先端部の外周に巻回、貼着される柔軟で透明な導光シート３と、
前記シリンダケース２の先端部にブラケット４を介して固定可能な光源５と、乱反射面６が一面に形成され、光源５による導光シート照射面からの反射光を乱反射面６により前記照射面に反射させる反射部材８とからなり、
光源５からの照射光を外部に露出する導光シート３の端面３ａに導光してキー挿入位置を視認させるキー挿入位置照明装置を提供することにより達成される。
【０００６】
キー挿入位置照明装置は、シリンダケース２の先端部に導光シート３と光源５を固定し、さらに、光源５による導光シート３の照射位置に対面する位置に反射部材８を固定して使用される。装着状態において光源５を発光させると光源５は導光シート３の側壁を照射して、導光シート３内に導入された光により導光シート３の端面３ａが発光する。端面３ａが外部に露出するように導光シート３を貼着しておき、暗い車内でキー挿入位置照明装置を作動させると、シリンダケース２の回りが光るために、利用者はシリンダケース２中心部に配置されたシリンダ錠１のキー挿入位置を視認することができる。光源５からの照射光のうち、導光シート３の表面からの散乱光は反射部材８により再び散乱されて導光シート３に入射されるために、導光シート３の端面３ａからの放射光量も所定量確保できる。
【０００７】
導光シート３は柔軟な短冊形状のシート材により形成されているために、シリンダケース２の先端部の形状に沿って自由に変形することができる。このためシリンダケース２の先端部の形状がどのようなものであっても、先端部の外周に沿って変形させることができ、また、短冊形状の長さを変えるだけで周回長（先端部が円形断面の場合は円周長）の異なったシリンダケース２に装着できるために汎用性が向上する。
【０００８】
さらに、導光シート３は、適宜大きさのシート体を短冊状に切断することにより簡単に形成することができるために、製造コストも低減する上に、着色した透明シート体を使用すると、端面３ａを簡単に発色させることができる。
【０００９】
反射部材８には、硬質の金属、あるいは合成樹脂を使用することも可能であるが、裏面に粘着層７を張り付けた柔軟なシート材により形成した場合には、シリンダケース２を覆う適宜部材の必要箇所に貼り付けることができ、作業性、汎用性を妨げない。
【００１０】
請求項２に係る発明は、
中心にシリンダ錠１を回転操作可能に保持したステアリングロック装置９の円柱状の先端部に柔軟で透明な導光シート３を貼着するとともに、該導光シート３の側方に光源５を固定し、
光源５からの照射光を前記先端部と先端部の外周を包絡するシェルカバー１０との間の間隙に配置される導光シート３の端面３ａに導光して前記シリンダ錠１のキー挿入位置を視認させるステアリングロック装置のキー挿入位置照明部の構造である。
【００１１】
ステアリングロック装置９はシェルカバー１０により包絡される円柱状の先端部を有し、該先端部に導光シート３が貼着される。導光シート３は端面３ａが上記先端部とシェルカバー１０とにより形成されるリング形状の隙間に配置されるように固定される。導光シート３の貼着には接着剤の使用が可能であるが、予め導光シート３の裏面に粘着層３ｂを形成しておくと、貼着作業が簡単になる。光源５は適宜手段で導光シート３の側方、すなわち、ステアリングロック装置９の先端部の側方に固定される。
【００１２】
光源５を発光させると、光源５の照射光が導光シート３の側方から導光シート３内に進入し、端面３ａが発光してステアリングロック装置９の先端部を位置が確認できる。導光シート３は柔軟であるために、径の異なるために曲率の異なる種々の先端部を有するステアリングロック装置９に対応させることができ、汎用性が向上する。
【００１３】
請求項３に係る発明において、シェルカバー１０には反射部材８が固定される。反射部材８は導光シート３の表面からの散乱光を再び導光シート３に導くことにより、導光シート３の端面３ａからの放射光量を増加させる。反射部材８には、硬質の金属、あるいは合成樹脂を使用することも可能であるが、裏面に粘着層７を張り付けた柔軟なシート材により形成した場合には、シリンダケース２を覆う適宜部材の必要箇所に貼り付けることができ、作業性、汎用性を妨げない。
【００１４】
【発明の実施の形態】
図１にステアリングロック装置９を示す。ステアリングロック装置９は、本体部（シリンダケース２）の中央部にシリンダ錠１を回転操作可能に保持して形成される。シリンダ錠１は自動車の運転席にキー挿入口１ａを露出させた状態で本体部２内に保持され、所定の解錠コードが刻まれたキープレートを挿入することにより回転操作が許容される。シリンダ錠１を回転させるとステアリングホイールのロックが解除されるとともに、終端に固定されたイグニッションスイッチ９ａへの操作が行われる。
【００１５】
本体部２の先端部はシェルカバー１０により覆われており、シェルカバー１０の内周壁と本体部２の先端部との間に形成されるリング形状の間隙から端面３ａが運転席側に露出するように、導光シート３が配置される。導光シート３は図３（ａ）で鎖線で示すように、１ｍｍ程度の板厚の透明なシート材１１を短冊形状に切断して形成され、適宜の曲率で屈曲させることができるように、例えば塩化ビニル等の柔軟な合成樹脂材により形成される。上記シート材１１の裏面には両面テープを貼り付けることにより粘着層３ｂが形成されており、シート材１１を本体部２の円周長に合致する長さＬの短冊形状に切断して導光シート３を形成した後、該導光シート３の裏面の離型紙３ｃを剥がして、本体部２の先端部外周に貼着される。後述するように、導光シート３の端面３ａからの発光光が半径方向に放射されるように、導光シート３の露出側端面３ａは曲率面としておくのが望ましい。
【００１６】
また、図１、２に示すように、上記本体部２の先端部にはブラケット４を介して光源５が固定される。光源５としては小型の白熱電球、あるいは発光ダイオードを使用することができる。光源５に白熱電球を使用する場合には、白熱電球に有色透明のキャップ５ａを被せて上記導光シート３の運転席への露出側端面３ａの発光色を調光する。ブラケット４の本体部２への固定には例えば本体部２を巻回する締結バンドを使用することが可能であり、そのほかねじ止め等、種々の手段を使用することができる。光源５の発熱による導光シート３の劣化、あるいは軟化を防止するために、光源５と導光シート３との間には適宜の隙間ｄが設定される。
【００１７】
さらに、上記シェルカバー１０の内周壁には反射部材８が貼着される。反射部材８は柔軟なシート状に形成され、表面が乱反射面６とされ、裏面に両面粘着テープを貼着することにより形成された粘着層７によりシェルカバー１０に貼着できる。反射部材８としてはアルミニウム製テープ、あるいは銀紙を適宜大きさに切断して使用することができ、散乱効率を向上させるために、乱反射面６は微細な凹凸面とするのが望ましい。この反射部材８は光源５を挟んで導光シート３と反対側に貼着される。
【００１８】
したがってこの実施の形態において、光源５を発光させると光源５からの照射光が導光シート３に入り込み、導光シート３の端面３ａが発光する。導光シート３の表面からの反射光は反射部材８により反射された後、再び導光シート３に至り、端面３ａの発光光として利用される。導光シート３の端面３ａを曲率面とした場合には、該端面３ａから半径方向に光が放射されるために視認性がより良好になる。
【００１９】
なお、以上の実施の形態においては、光源５にキャップ５ａを被せて導光シート３の端面３ａに適宜の色彩を付加する場合を示したが、光源５にキャップ５ａを被せることなく導光シート３として有色透明シートを使用してもよく、このようにすることにより、キャップを使用する必要がなくなるために、製造コストを低減することができる。
【００２０】
さらに、図１においては、ステアリングロック装置９のキー挿入位置照明部の構造を示したが、他の錠装置に使用することも可能である。
【００２１】
【発明の効果】
以上の説明から明らかなように、本発明によれば、汎用性が高く、かつ、低廉なキー挿入位置照明装置、およびステアリングロック装置のキー挿入位置照明部の構造を得ることができる。
【図面の簡単な説明】
【図１】本発明を示す図で、（ａ）は側面図、（ｂ）は正面図である。
【図２】（ａ）は図１（ｂ）の２Ａ方向矢視図、（ｂ）は図２（ａ）の２Ｂ方向矢視図である。
【図３】導光シートを示す図で、（ａ）はシート材を示す平面図、（ｂ）は（ａ）の３Ｂ−３Ｂ線断面図である。
【符号の説明】
１        シリンダ錠
２        シリンダケース
３        導光シート
３ａ      端面
４        ブラケット
５        光源
６        乱反射面
７        粘着層
８        反射部材
９        ステアリングロック装置
１０      シェルカバー
【図１】
0004040189.tif 000002
【図２】
0004040189.tif 000003
【図３】
0004040189.tif 000004